(57)【要約】【課題】過給機付きエンジンの吸気装置において、過給機とインタークーラを繋ぐ中間通路をコンパクトに構成しながらも、その中間通路から生じる放射音を低減する。【解決手段】過給機３４におけるガスの吐出口３４ｃとインタークーラ３６におけるガスの導入口３６ｄとは、双方ともエンジン本体一方側の外面１０ａに対して反対側に向かって開口していると共に、中間通路としての第２通路３５を介して相互に接続される。そして、第２通路３５における中途の部位には、該部位における流路断面積を、該部位から第２通路３５の下流端部に至る部分における流路断面積よりも縮小させた狭小部３５ｃが設けられている。【選択図】図１５
2018168784.tif 000002
【特許請求の範囲】
【請求項１】
気筒を有するエンジン本体と、ガスの流れ方向に沿って上流側から順に過給機及びインタークーラが介設され、下流端部が前記エンジン本体に接続された吸気通路と、を備えた過給機付きエンジンの吸気装置であって、
前記過給機及びインタークーラは、前記エンジン本体一方側の外面に沿って配置され、
前記過給機におけるガスの吐出口と前記インタークーラにおけるガスの導入口とは、双方とも前記エンジン本体一方側の外面に対して反対側に向かって開口していると共に、中間通路を介して相互に接続され、
前記中間通路における中途の部位には、該部位における流路断面積を、該部位から前記中間通路の下流端部に至る部分における流路断面積よりも縮小させた狭小部が設けられている過給機付きエンジンの吸気装置。
【請求項２】
請求項１に記載された過給機付きエンジンの吸気装置において、
前記吐出口は、前記導入口よりも狭く形成されており、
前記中間通路は、上流端部が前記過給機に接続される過給機側通路部と、下流端部が前記インタークーラに接続されるクーラ側通路部と、前記過給機側通路部の下流端部を前記クーラ側通路部の上流端部に接続する接続通路部と、を有し、
前記クーラ側通路部は、前記エンジン本体一方側の外面を正面視したときに、前記吐出口から前記導入口に向かう方向と直交する方向の通路幅が、同方向における前記導入口の寸法以上に形成されている一方、
前記過給機側通路部は、前記エンジン本体一方側の外面を正面視したときに、前記吐出口から前記導入口に向かう方向と直交する方向の通路幅が、同方向における前記クーラ側通路部の通路幅と同じになるように形成されており、
前記狭小部は、前記接続通路部の流路断面積が、前記過給機側通路部及び前記クーラ側通路部の流路断面積の双方に対して縮小した括れ状に形成されている過給機付きエンジンの吸気装置。
【請求項３】
請求項２に記載された過給機付きエンジンの吸気装置において、
前記中間通路は、前記吐出口から導入口に向かう方向と直交する方向の通路幅に対し、前記エンジン本体一方側の外面に対して反対側に向かう方向の奥行きが短い扁平状の通路として形成されており、
前記狭小部は、前記接続通路部を、前記クーラ側通路部及び過給機側通路部の双方に対して幅狭にするように形成されている過給機付きエンジンの吸気装置。
【請求項４】
請求項３に記載された過給機付きエンジンの吸気装置において、
前記エンジン本体一方側の外面は、車両搭載状態において、車両前方に面する過給機付きエンジンの吸気装置。
【請求項５】
請求項４に記載された過給機付きエンジンの吸気装置において、
前記過給機の車幅方向一側には、該過給機の駆動源が配設され、
前記過給機及び前記インタークーラは、上下方向に隣接して配置されている過給機付きエンジンの吸気装置。
【請求項６】
請求項１〜５のいずれか１項に記載された過給機付きエンジンの吸気装置において、
前記中間通路は、前記吐出口から前記エンジン本体一方側の外面に対して反対側に向かって延びた後に、前記導入口側へ向って曲折され、
前記中間通路のうち前記導入口側へ曲折された角部には、第１のパンチングプレートによって第１の消音室が区画されている過給機付きエンジンの吸気装置。
【請求項７】
請求項６に記載された過給機付きエンジンの吸気装置において、
前記吸気通路には、前記過給機によって過給されたガスの一部を、前記過給機の上流側に還流するバイパス通路が設けられ、
前記中間通路は、前記導入口側へ曲折されて延びた後、再び前記導入口側へ向かって曲折され、
前記中間通路のうち再び曲折された角部には、第２のパンチングプレートによって第２の消音室が区画されている過給機付きエンジンの吸気装置。
【請求項８】
請求項１〜７のいずれか１項に記載された過給機付きエンジンの吸気装置において、
前記狭小部における流路断面積をＣ１とする一方、該狭小部から前記中間通路の下流端部に至る部分における流路断面積をＣ２とすると、Ｃ２／Ｃ１は、１．５以上２．５以下に設定されている過給機付きエンジンの吸気装置。
【発明の詳細な説明】
【技術分野】
【０００１】
ここに開示する技術は、過給機付きエンジンの吸気装置に関する。
【背景技術】
【０００２】
特許文献１には、過給機付きエンジンの一例が開示されている。具体的に、この過給機付きエンジンは、気筒を有するエンジン本体（エンジン）と、ガスの流れ方向に沿って上流側から順に過給機及びインタークーラが介設され、下流端部が前記エンジン本体に接続された吸気通路（吸気装置）と、を備えて構成されており、過給機及びインタークーラは、各々エンジン本体のフロント側の外面に対向して配置されている。
【０００３】
また、特許文献１には、過給機とインタークーラを中間通路（空気通路）によって相互に接続することも開示されている。
【先行技術文献】
【特許文献】
【０００４】
【特許文献１】特開２００６−００２６３３号公報
【発明の概要】
【発明が解決しようとする課題】
【０００５】
ところで、前記特許文献１のような中間通路を設けた場合、過給機の吐出圧に生じる脈動が中間通路に作用して、放射音を招く虞がある。放射音を低減するためには、例えば、中間通路の途中にレゾナンスチャンバーを配設することが考えられるものの、そのレイアウト次第では、中間通路まわりをコンパクトに構成する上で障害となる可能性がある。
【０００６】
ここに開示する技術は、かかる点に鑑みてなされたものであり、その目的とするところは、過給機付きエンジンの吸気装置において、過給機とインタークーラを繋ぐ中間通路をコンパクトに構成しながらも、その中間通路から生じる放射音を低減することにある。
【課題を解決するための手段】
【０００７】
ここに開示する技術は、気筒を有するエンジン本体と、ガスの流れ方向に沿って上流側から順に過給機及びインタークーラが介設され、下流端部が前記エンジン本体に接続された吸気通路と、を備えた過給機付きエンジンの吸気装置に係る。
【０００８】
前記過給機及びインタークーラは、前記エンジン本体一方側の外面に沿って配置され、前記過給機におけるガスの吐出口と前記インタークーラにおけるガスの導入口とは、双方とも前記エンジン本体一方側の外面に対して反対側に向かって開口していると共に、中間通路を介して相互に接続され、前記中間通路における中途の部位には、該部位における流路断面積を、該部位から前記中間通路の下流端部に至る部分における流路断面積よりも縮小させた狭小部が設けられている。
【０００９】
前記の構成によれば、中間通路のうち、狭小部よりも下流側部分の流路断面積は、少なくとも、狭小部が設けられた部位における流路断面積よりも拡大することになる。そうすると、その拡大されたスペース全体が、いわゆる拡張室側の消音器として機能することとなり、ひいては、過給機の吐出圧に係る脈動に起因した放射音を低減することができる。
【００１０】
また、前記の構成は、例えばレゾナンスチャンバーのような部材を新設するのに比べて、中間通路をコンパクトに構成することができる。
【００１１】
このように、前記の構成によれば、過給機とインタークーラを繋ぐ中間通路をコンパクトに構成しながらも、放射音を低減することができる。
【００１２】
また、前記吐出口は、前記導入口よりも狭く形成されており、前記中間通路は、上流端部が前記過給機に接続される過給機側通路部と、下流端部が前記インタークーラに接続されるクーラ側通路部と、前記過給機側通路部の下流端部を前記クーラ側通路部の上流端部に接続する接続通路部と、を有し、前記クーラ側通路部は、前記エンジン本体一方側の外面を正面視したときに、前記吐出口から前記導入口に向かう方向と直交する方向の通路幅が、同方向における前記導入口の寸法以上に形成されている一方、前記過給機側通路部は、前記エンジン本体一方側の外面を正面視したときに、前記吐出口から前記導入口に向かう方向と直交する方向の通路幅が、同方向における前記クーラ側通路部の通路幅と同じになるように形成されており、前記狭小部は、前記接続通路部の流路断面積が、前記過給機側通路部及び前記クーラ側通路部の流路断面積の双方に対して縮小した括れ状に形成されている、としてもよい。
【００１３】
前記の構成によれば、過給機の吐出口は、インタークーラの導入口よりも狭い。
【００１４】
この場合、例えば、過給機側通路部からクーラ側通路部にかけて、通路幅を徐々に広げていくことが考えられるが、そのように構成した場合、狭小部は、通路幅が広がっていく途中に形成されることになる。
【００１５】
対して、前記の構成によれば、過給機側通路部の通路幅は、クーラ側通路部の通路幅と同じになるように形成されている。そして、過給機側通路部とクーラ側通路部とを接続する接続通路部において、前述の狭小部を形成するようになっている。そうすると、狭小部は、通路幅が十分に広がった後に形成されるようになるから、前述の如く、通路幅を徐々に広げていく構成と比較して、狭小部における流路断面積を拡大することが可能になる。このことは、中間通路、特に狭小部において、吸気抵抗の悪化を抑制する上で有効である。
【００１６】
よって、吸気抵抗の悪化を抑制しつつ、狭小部により放射音を低減することができる。
【００１７】
また、前記中間通路は、前記吐出口から導入口に向かう方向と直交する方向の通路幅に対し、前記エンジン本体一方側の外面に対して反対側に向かう方向の奥行きが短い扁平状の通路として形成されており、前記狭小部は、前記接続通路部を、前記クーラ側通路部及び過給機側通路部の双方に対して幅狭にするように形成されている、としてもよい。
【００１８】
この構成によれば、中間通路を奥行き方向にコンパクトに構成することが可能になる。
【００１９】
加えて、狭小部は、中間通路を幅方向に狭めるように形成されているから、奥行き方向に狭めた構成と比較して、吸気抵抗の悪化を抑制することが可能になる。
【００２０】
よって、中間通路のコンパクト化を図る一方で、吸気抵抗の悪化を抑制しながら、狭小部によって放射音を低減することができる。
【００２１】
また、前記エンジン本体一方側の外面は、車両搭載状態において、車両前方に面する、としてもよい。
【００２２】
この構成によれば、中間通路は、車両前側に配置されることになり、また、前側に向かう方向の奥行きが短い通路として形成されることになる。これにより、吸気装置全体を車両前後方向においてコンパクトに構成することができる。それと同時に、中間通路を車両が前突したときのクッションとして利用することも可能になる。
【００２３】
また、前記過給機の車幅方向一側には、該過給機の駆動源が配設され、前記過給機及び前記インタークーラは、上下方向に隣接して配置されている、としてもよい。
【００２４】
この構成によれば、過給機とインタークーラが上下に隣接する一方で、過給機の側方に駆動源を配設したから、過給機、インタークーラ、及び過給機の駆動源を同一平面上に並べて配置することが可能になる。このことは、吸気装置全体をコンパクトにレイアウトする上で有効である。
【００２５】
前記中間通路は、前記吐出口から前記エンジン本体一方側の外面に対して反対側に向かって延びた後に、前記導入口側へ向って曲折され、前記中間通路のうち前記導入口側へ曲折された角部には、第１のパンチングプレートによって第１の消音室が区画されている、としてもよい。
【００２６】
この構成によれば、中間通路内に区画した第１の消音室によって、過給機の吐出圧に生じる脈動を減衰することができる。このことは、放射音を低減する上で有効である。
【００２７】
加えて、第１の消音室は、中間通路内の角部に区画されているから、吸気抵抗の悪化を抑制することができる。
【００２８】
よって、吸気抵抗の悪化を抑制しつつ、過給機の吐出圧に係る脈動を減衰することができる。
【００２９】
また、前記吸気通路には、前記過給機によって過給されたガスの一部を、前記過給機の上流側に還流するバイパス通路が設けられ、前記中間通路は、前記導入口側へ曲折されて延びた後、再び前記導入口側へ向かって曲折され、前記中間通路のうち再び曲折された角部には、第２のパンチングプレートによって第２の消音室が区画されている、としてもよい。
【００３０】
この構成によれば、吸気通路にはバイパス通路が設けられている。この場合、過給機によってガスに付与された過給圧のうちの一部は、そのバイパス通路を介して過給機上流側に戻ることになる。この場合、上流側に至った過給圧が、中間通路を逆流するように伝搬し、その結果、過給圧に係る脈動が、フレッシュエアダクトやエアクリーナ等に作用して放射音を招いたり、フレッシュエアダクト開口部からの吸気源音を招いたりする可能性がある。
【００３１】
対して、前記の構成によれば、中間通路においてインタークーラの導入口付近の角部には、第２の消音室が区画されている。これにより、中間通路の逆流に起因した放射音や吸気源音を低減することができる。
【００３２】
また、前記狭小部における流路断面積をＣ１とする一方、該狭小部から前記中間通路の下流端部に至る部分における流路断面積をＣ２とすると、Ｃ２／Ｃ１は、１．５以上２．５以下に設定されている、としてもよい。
【００３３】
狭小部における流路断面積を縮小するにしたがって、消音効果が高くなると考えられる。しかし、その流路断面積を過度に縮小してしまっては、流路抵抗の悪化を招くため好ましくない。
【００３４】
本願発明者等は、鋭意検討を重ねた結果、Ｃ２／Ｃ１が１．５以上２．５以下に設定されていれば、十分な消音効果を確保しつつ、流路抵抗の悪化を抑制することができる、ということを見出した。
【発明の効果】
【００３５】
以上説明したように、前記の過給機付きエンジンの吸気装置によると、中間通路をコンパクトに構成しながらも、放射音を低減することができる。
【図面の簡単な説明】
【００３６】
【図１】図１は、多気筒エンジンの構成を例示する概略図である。
【図２】図２は、多気筒エンジンの構成を一部省略して示す斜視図である。
【図３】図３は、４つのシリンダ周辺の構成を概略的に示す平面図である。
【図４】図４は、吸気装置の全体構成を前側から見て示す斜視図である。
【図５】図５は、吸気装置の全体構成を後側から見て示す斜視図である。
【図６】図６は、過給機側の通路構造を示す横断面図である。
【図７】図７は、過給機側の通路構造を示す縦断面図である。
【図８】図８は、サージタンク周辺の縦断面を示す斜視図である。
【図９】図９は、図８とは別の縦断面を示す斜視図である。
【図１０】図１０は、バイパス通路に係る通路構造を前側から見て示す図である。
【図１１】図１１は、バイパス通路に係る通路構造を後側から見て示す図である。
【図１２】図１２は、バイパス通路に係る通路構造を上側から見て示す図である。
【図１３】図１３は、サージタンクとバイパス通路との接続構造を示す縦断面図である。
【図１４】図１４は、サージタンクとバイパス通路との接続構造を示す横断面図である。
【図１５】図１５は、第２通路に係る通路構造を前側から正面視して示す図である。
【図１６】図１６は、第２通路を構成する部材を取り外した状態を示す図１５対応図である。
【図１７】図１７は、第２通路を構成する部材を後側から正面視して示す図である。
【図１８】図１８は、第１の消音室を示す斜視図である。
【図１９】図１９は、第２通路を従来構成と比較して示す図である。
【図２０】図２０は、狭小部による消音効果を示すグラフである。
【図２１】図２１は、第２通路部にヘルムホルツ式レゾネータを取り付けた構成と、サイレンサーを取り付けた構成を並べて示す図である。
【発明を実施するための形態】
【００３７】
以下、多気筒エンジンの吸気装置の実施形態を図面に基づいて詳細に説明する。尚、以下の説明は例示である。図１は、ここに開示する多気筒エンジンの吸気装置を備えて構成されたエンジンを例示する図である。また、図２は、その構成を一部省略して示す斜視図であり、図３は、４つのシリンダ１１周辺の構成を概略的に示す平面図である。
【００３８】
エンジン１は、ＦＦ方式の車両に搭載されるガソリンエンジン（特に、４ストローク式の内燃機関）であり、図１に示すように、機械駆動式の過給機（所謂スーパーチャージャ）３４を備えた構成としている。
【００３９】
また、本実施形態に係るエンジン１は、図３に示すように、列状に配置された４つのシリンダ（気筒）１１を備えており、４つのシリンダ１１が車幅方向に沿って並ぶような姿勢で搭載される、いわゆる直列４気筒の横置きエンジンとして構成されている。これにより、本実施形態では、４つのシリンダ１１の配列方向（気筒列方向）であるエンジン前後方向が車幅方向と略一致していると共に、エンジン幅方向が車両前後方向と略一致している。
【００４０】
以下、特に断らない限り、前側とはエンジン幅方向の一方側（車両前後方向の前側）を、後側とはエンジン幅方向の他方側（車両前後方向の後側）を、左側とはエンジン前後方向（気筒列方向）の一方側（車幅方向の左側であり且つ、エンジンフロント側）を、右側とはエンジン前後方向（気筒列方向）の他方側（車幅方向の右側であり且つ、エンジンリア側）を指す。
【００４１】
また、以下の記載において、上側とは、エンジン１を車両に搭載した状態（以下、「車両搭載状態」ともいう）における上側を指し、下側とは、車両搭載状態における下側を指す。
【００４２】
（エンジンの概略構成）
エンジン１は、前方吸気後方排気式に構成されている。すなわち、エンジン１は、図３に示すように、４つのシリンダ１１（図１では１つのシリンダのみを図示）を有するエンジン本体１０と、エンジン本体１０の前側に配置され、吸気ポート１７、１８を介して各シリンダ１１に連通する吸気通路３０と、エンジン本体１０の後側に配置され、排気ポート１９を介して各シリンダ１１に連通する排気通路５０とを備えている。
【００４３】
本実施形態に係る吸気通路３０は、ガスを導く複数の通路と、過給機３４やインタークーラ３６等の装置と、これらの装置を迂回するバイパス通路４０とが組み合わされてユニット化された吸気装置を構成している。
【００４４】
エンジン本体１０は、吸気通路３０から供給されたガスと燃料との混合気を、各シリンダ１１内で、所定の燃焼順に従って燃焼させるように構成されている。具体的に、エンジン本体１０は、シリンダブロック１２と、その上に載置されるシリンダヘッド１３とを有している。
【００４５】
シリンダブロック１２の内部には、４つのシリンダ１１が形成されている。４つシリンダ１１は、クランクシャフト１５の中心軸方向（つまり気筒列方向）に沿って列を成すように並んでいる。４つのシリンダ１１は、それぞれ円筒状に形成されており、各シリンダ１１の中心軸（以下、「気筒軸」という）は、互いに平行に且つ、気筒列方向に対して垂直に延びている。以下、図３に示す４つのシリンダ１１を、気筒列方向に沿って右側から順に、１番気筒１１Ａ、２番気筒１１Ｂ、３番気筒１１Ｃ、及び４番気筒１１Ｄと称する場合がある。
【００４６】
各シリンダ１１内には、ピストン１４が摺動自在に挿入されている。ピストン１４は、コネクティングロッド１４１を介してクランクシャフト１５に連結されている。ピストン１４は、シリンダ１１及びシリンダヘッド１３と共に燃焼室１６を区画する。
【００４７】
燃焼室１６の天井面は、いわゆるペントルーフ形状であり、シリンダヘッド１３の下面によって構成されている。このエンジン１は、幾何学的圧縮比を高めるべく、従来よりも燃焼室１６の天井面が低く構成されている。天井面のペントルーフ形状は、フラット形状に近い。
【００４８】
シリンダヘッド１３には、シリンダ１１毎に、２つの吸気ポート１７、１８が形成されている。２つの吸気ポート１７、１８は、それぞれ燃焼室１６に連通しており、シリンダ１１毎に、第１ポート１７と、該第１ポート１７に対して気筒列方向に隣接した第２ポート１８とを有している。１番気筒１１Ａ〜４番気筒１１Ｄのいずれにおいても、第１ポート１７と第２ポート１８が同じ順番で並んでいる。具体的には、図３に示すように、各シリンダ１１において、気筒列方向に沿って右側から順に、第２ポート１８と第１ポート１７とが並んでいる。
【００４９】
各吸気ポート１７、１８の上流端は、それぞれ、エンジン本体１０の外面（取付面）１０ａに開口しており、吸気通路３０の下流端が接続されている。対して、各ポート１７、１８の下流端は、それぞれ、燃焼室１６の天井面に開口している。
【００５０】
以下、１番気筒１１Ａに通じる第１ポートに対し、符号“１７”ではなく“１７Ａ”を付すと共に、当該気筒１１Ａに通じる第２ポートに対し、符号“１８”ではなく“１８Ａ”を付す場合がある。２番気筒１１Ｂ〜４番気筒１１Ｄについても同様である。例えば、３番気筒１１Ｃに通じる第２ポートに対し、符号“１８”ではなく“１８Ｃ”を付す場合がある。
【００５１】
また、２つの吸気ポート１７、１８は、各シリンダ１１につき、通過するガスの流量が、スワールコントロールバルブ（Swarl Control Valve：ＳＣＶ）８０を介して絞られるように構成されたＳＣＶポートを含む。本実施形態では、前述の第２ポート１８がＳＣＶポートとして構成されている。
【００５２】
２つの吸気ポート１７、１８には、それぞれ吸気バルブ２１が配設されている。吸気バルブ２１は、燃焼室１６と吸気ポート１７、１８のそれぞれとの間を開閉する。吸気バルブ２１は、吸気動弁機構によって所定のタイミングで開閉する。
【００５３】
吸気動弁機構は、この構成例では、図１に示すように、可変動弁機構である吸気電動ＶＶＴ（Variable Valve Timing）２３を有している。吸気電動ＶＶＴ２３は、吸気カムシャフトの回転位相を所定の角度範囲内で連続的に変更するよう構成されている。それによって、吸気バルブ２１の開弁時期及び閉弁時期は、連続的に変化する。尚、吸気動弁機構は、電動ＶＶＴに代えて、液圧式のＶＶＴを有していてもよい。
【００５４】
シリンダヘッド１３にはまた、シリンダ１１毎に、２つの排気ポート１９、１９が形成されている。２つの排気ポート１９、１９は、それぞれ燃焼室１６に連通している。
【００５５】
２つの排気ポート１９、１９には、それぞれ排気バルブ２２が配設されている。排気バルブ２２は、燃焼室１６と排気ポート１９、１９のそれぞれとの間を開閉する。排気バルブ２２は、排気動弁機構によって所定のタイミングで開閉する。
【００５６】
排気動弁機構は、この構成例では、図１に示すように、可変動弁機構である排気電動ＶＶＴ（Variable Valve Timing）２４を有している。排気電動ＶＶＴ２４は、排気カムシャフトの回転位相を所定の角度範囲内で連続的に変更するよう構成されている。それによって、排気バルブ２２の開弁時期及び閉弁時期は、連続的に変化する。尚、排気動弁機構は、電動ＶＶＴに代えて、液圧式のＶＶＴを有していてもよい。
【００５７】
詳細は省略するが、このエンジン１は、吸気電動ＶＶＴ２３及び排気電動ＶＶＴ２４によって、吸気バルブ２１の開弁時期と排気バルブ２２の閉弁時期とに係るオーバーラップ期間の長さを調整する。これによって、燃焼室１６の中の残留ガスを掃気したり、燃焼室１６の中に熱い既燃ガスを閉じ込めたり（つまり、内部ＥＧＲ（Exhaust Gas Recirculation）ガスを燃焼室１６の中に導入したり）する。この構成例においては、吸気電動ＶＶＴ２３及び排気電動ＶＶＴ２４が内部ＥＧＲシステムを構成している。尚、内部ＥＧＲシステムは、ＶＶＴによって構成されるとは限らない。
【００５８】
シリンダヘッド１３には、シリンダ１１毎にインジェクタ６が取り付けられている。インジェクタ６は、この構成例においては多噴口型の燃料噴射弁であり、燃焼室１６の中に燃料を直接噴射するよう構成されている。
【００５９】
インジェクタ６には、燃料供給システム６１が接続されている。燃料供給システム６１は、燃料を貯留するよう構成された燃料タンク６３と、燃料タンク６３とインジェクタ６とを互いに連結する燃料供給路６２とを備えている。燃料供給路６２には、燃料ポンプ６５とコモンレール６４とが介設している。燃料ポンプ６５は、コモンレール６４に燃料を圧送する。燃料ポンプ６５は、この構成例においては、クランクシャフト１５によって駆動されるプランジャー式のポンプである。コモンレール６４は、燃料ポンプ６５から圧送された燃料を、高い燃料圧力で蓄えるよう構成されている。インジェクタ６が開弁すると、コモンレール６４に蓄えられていた燃料が、インジェクタ６の噴口から燃焼室１６の中に噴射される。
【００６０】
シリンダヘッド１３には、シリンダ１１毎に、点火プラグ２５が取り付けられている。点火プラグ２５は、その先端が燃焼室１６の中に臨むような姿勢で取り付けられており、燃焼室１６の中の混合気を強制的に点火する。
【００６１】
吸気通路３０は、図２に示すように、エンジン本体１０における前側の側面（以下、「取付面」という）１０ａに接続されており、各シリンダ１１の吸気ポート１７、１８に連通している。吸気通路３０は、燃焼室１６に導入するガスが流れる通路である。吸気通路３０の上流端部には、新気を濾過するエアクリーナ３１が配設されている。吸気通路３０の下流端近傍には、サージタンク３８が配設されている。サージタンク３８よりも下流の吸気通路３０は、図３に示すように、シリンダ１１毎に２本ずつ分岐する独立通路３９を構成している。
【００６２】
詳細は後述するが、２本の独立通路３９のうちの一方が第１ポート１７に接続され、他方が第２ポート１８に接続される。以下、前者の独立通路３９に対して符号“３９１”を付す一方、後者に対して符号“３９２”を付す場合がある。このように、独立通路３９の下流端が、各シリンダ１１の吸気ポート１７、１８に接続されている。
【００６３】
吸気通路３０におけるエアクリーナ３１とサージタンク３８との間には、スロットルバルブ３２が配設されている。スロットルバルブ３２は、その開度を調整することによって、燃焼室１６に導入する新気の量を調整するよう構成されている。
【００６４】
吸気通路３０にはまた、スロットルバルブ３２の下流に、過給機３４が配設されている。過給機３４は、燃焼室１６に導入するガスを過給するよう構成されている。この構成例において、過給機３４は、エンジン１によって駆動される機械式の過給機である。本実施形態に係る過給機３４は、ルーツ式のスーパーチャージャとして構成されているものの、この構成はどのようなものであってもよい。例えば、リショルム式や遠心式であってもよい。
【００６５】
過給機３４とエンジン１との間には、電磁クラッチ３４ａが介設している。電磁クラッチ３４ａは、過給機３４とエンジン１との間で駆動力を伝達させたり、駆動力の伝達を遮断したりする。ＥＣＵ（Engine Control Unit）など、不図示の制御手段が電磁クラッチ３４ａの遮断及び接続を切り替えることによって、過給機３４のオンとオフとが切り替わる。つまり、このエンジン１は、過給機３４のオンとオフとを切り替えることにより、燃焼室１６に導入するガスを過給する運転と、燃焼室１６に導入するガスを過給しない運転とを切り替えることができるよう構成されている。
【００６６】
吸気通路３０における過給機３４の下流には、インタークーラ３６が配設されている。インタークーラ３６は、過給機３４において圧縮されたガスを冷却するよう構成されている。この構成例におけるインタークーラ３６は、水冷式に構成されている。
【００６７】
また、吸気通路３０に組み込まれた各種の装置を結ぶ通路として、吸気通路３０は、エアクリーナ３１よりも下流側に配設され、エアクリーナ３１によって浄化された吸気を過給機３４へ導く第１通路３３と、過給機３４によって圧縮された吸気をインタークーラ３６へ導く第２通路３５と、インタークーラ３６によって冷却されたガスをサージタンク３８へ導く第３通路３７とを有している。尚、サージタンク３８から吸気ポート１７、１８にかけての流路長（ランナー長）を短くするべく、サージタンク３８は、吸気ポート１７、１８の入口（上流端部）近傍に配設されている。第２通路３５及び第３通路３７は、過給機３４やインタークーラ３６と共に、「過給通路」を構成している。
【００６８】
また、吸気通路３０には、過給機３４及びインタークーラ３６を迂回するバイパス通路４０が設けられている。バイパス通路４０は、吸気通路３０のうちスロットルバルブ３２の下流部から過給機３４の上流部にかけての部分と、サージタンク３８とを互いに接続する。バイパス通路４０には、該バイパス通路４０を流れるガスの流量を調整するように構成されたバイパスバルブ４１が配設されている。
【００６９】
過給機３４をオフにしたとき（つまり、電磁クラッチ３４ａを遮断したとき）には、バイパスバルブ４１を全開にする。これにより、吸気通路３０を流れるガスは、過給機３４をバイパスしてサージタンク３８に流入し、独立通路３９を介して燃焼室１６に導入される。エンジン１は、非過給、つまり自然吸気の状態で運転する。
【００７０】
過給機３４をオンにしたとき（つまり、電磁クラッチ３４ａを接続したとき）には、バイパスバルブ４１の開度を適宜調整する。これにより、吸気通路３０において過給機３４を通過したガスの一部は、バイパス通路４０を通って過給機３４の上流に逆流する。バイパスバルブ４１の開度を調整することによって、逆流量を調整することができるから、燃焼室１６に導入するガスの過給圧を調整することができる。この構成例においては、過給機３４とバイパス通路４０とバイパスバルブ４１とによって、過給システムが構成されている。
【００７１】
排気通路５０は、エンジン本体１０における後側の側面に接続されており、各シリンダ１１の排気ポート１９に連通している。排気通路５０は、燃焼室１６から排出された排気ガスが流れる通路である。排気通路５０の上流部分は、詳細な図示は省略するが、シリンダ１１毎に分岐する独立通路を構成している。独立通路の上流端が、各シリンダ１１の排気ポート１９に接続されている。排気通路５０には、１つ以上の触媒コンバータ５１を有する排気ガス浄化システムが配設されている。触媒コンバータ５１は、三元触媒を含んで構成されている。尚、排気ガス浄化システムは、三元触媒のみを含むものに限らない。
【００７２】
吸気通路３０と排気通路５０との間には、外部ＥＧＲシステムを構成するＥＧＲ通路５２が接続されている。ＥＧＲ通路５２は、既燃ガスの一部を吸気通路３０に還流させるための通路である。ＥＧＲ通路５２の上流端は、排気通路５０における触媒コンバータ５１の下流に接続されている。ＥＧＲ通路５２の下流端は、吸気通路３０における過給機３４の上流且つ、バイパス通路４０の上流端よりも上流に接続されている。
【００７３】
ＥＧＲ通路５２には、水冷式のＥＧＲクーラ５３が配設されている。ＥＧＲクーラ５３は、既燃ガスを冷却するよう構成されている。ＥＧＲ通路５２にはまた、ＥＧＲバルブ５４が配設されている。ＥＧＲバルブ５４は、ＥＧＲ通路５２を流れる既燃ガスの流量を調整するよう構成されている。ＥＧＲバルブ５４の開度を調整することによって、冷却した既燃ガス、つまり外部ＥＧＲガスの還流量を調整することができる。
【００７４】
この構成例において、ＥＧＲシステム５５は、ＥＧＲ通路５２及びＥＧＲバルブ５４を含んで構成されている外部ＥＧＲシステムと、前述した吸気電動ＶＶＴ２３及び排気電動ＶＶＴ２４を含んで構成されている内部ＥＧＲシステムとによって構成されている。
【００７５】
（吸気通路の構成）
以下、吸気通路３０の構成について詳細に説明する。
【００７６】
図４は、ユニット化された吸気通路３０の全体構成を前側から見て示す斜視図であり、図５は、吸気通路３０の全体構成を後側から見て示す斜視図である。また、図６は、吸気通路３０のうち過給機側の通路構造を示す横断面図であり、図７は、その縦断面図である。また、図８は、サージタンク３８周辺の縦断面を示す斜視図であり、図９は、それとは別の縦断面を示す斜視図である。
【００７７】
吸気通路３０を構成する各部は、いずれも、エンジン本体１０の前側、具体的には、前述の取付面１０ａの前側に配置されている。なお、取付面１０ａは、図６〜図７に示すように、シリンダヘッド１３及びシリンダブロック１２における前側の外面によって構成されている。取付面１０ａは、「エンジン本体一方側の外面」の例示である。
【００７８】
最初に、吸気通路３０を構成する各部の概略的な配置について説明する。
【００７９】
図２、及び図４〜図８に示すように、過給機３４は、サージタンク３８を挟んで４つのシリンダ１１に対して反対側に対向して配置されている。過給機３４の後面と取付面１０ａとの間には、サージタンク３８の寸法に応じた隙間（間隔）が空いている。第１通路３３は、過給機３４の左側において気筒列方向に沿って延設されており、過給機３４の左端に接続されている。また、インタークーラ３６は、過給機３４に対して下方に配置されており、過給機３４と同様に、取付面１０ａに沿うように（具体的には、取付面１０ａに対して所定の間隔を空けるように）配置されている。過給機３４とインタークーラ３６とは、上下方向に隣接している。第２通路３５は、過給機３４の前部とインタークーラ３６の前部とを接続するように上下に延設されている。サージタンク３８は、過給機３４と取付面１０ａとの間の隙間に配置されており、吸気ポート１７、１８の反気筒側端部（入口）に対して、複数の独立通路３９を挟んで反対側に対向して配置されている。第３通路３７は、インタークーラ３６及び過給機３４と、取付面１０ａとの間の隙間を縫うように延設されており、インタークーラ３６がサージタンク３８よりも下方に位置するように、インタークーラ３６の後部とサージタンク３８の底部とを接続している。バイパス通路４０は、第１通路３３の途中から上方に向かって延びた後、エンジン本体１０の内方（右方）へ向かって延びるように形成されており、サージタンク３８の上部に接続されている。
【００８０】
次に、吸気通路３０を構成する各部の構造について説明する。
【００８１】
第１通路３３は、実質的に気筒列方向（左右方向）に延びる管状に形成されており、その上流側（左側）部分は、スロットルバルブ３２が内蔵されたスロットルボディ３３ａによって構成されている。スロットルボディ３３ａは、金属製の短筒状に形成されており、図４〜図６に示すように、両端の開口を左右に向けた姿勢で、取付面１０ａに対して左方且つ前方に位置するように配置されている。スロットルボディ３３ａの上流端（左端）には、不図示の通路を介してエアクリーナ３１が接続されている一方、スロットルボディ３３ａの下流端（右端）には、第１通路３３の下流側（右側）部分である第１通路本体３３ｂが接続されている。
【００８２】
第１通路本体３３ｂは、図６に示すように、スロットルボディ３３ａを過給機３４に接続するように構成されている。詳しくは、第１通路本体３３ｂは、両端の開口を左右に向けた長筒状に構成されている。第１通路本体３３ｂは、取付面１０ａの前方において、スロットルボディ３３ａと同軸になるように配置されている。さらに詳しくは、第１通路本体３３ｂは、気筒列方向の外側から内側（左側から右側）に向かうにつれて、次第に拡径するように形成されている。第１通路本体３３ｂの上流端（左端）には、前述のようにスロットルボディ３３ａの下流端が接続されている一方、その下流端（右端）には、過給機３４の吸入口が接続されている。
【００８３】
また、第１通路本体３３ｂには、ＥＧＲ通路５２が合流する合流部３３ｃが開口している。図６に示すように、合流部３３ｃは、第１通路本体３３ｂの上流側部分の後面に形成されており、ＥＧＲ通路５２の下流端が接続されている。合流部３３ｃは、少なくともスロットルバルブ３２よりも下流側に形成されるようになっている。
【００８４】
また、第１通路本体３３ｂには、バイパス通路４０へ分岐する分岐部３３ｄも開口している。分岐部３３ｄは、第１通路本体３３ｂにおいて、合流部３３ｃ近傍（ガスの流れ方向に関しては実質的に同じ位置）の上面に形成されており、バイパス通路４０の上流端に接続されている（図１０も参照）。この分岐部３３ｄは、図１０等に示すように、過給機３４、インタークーラ３６、４組の吸気ポート１７、１８、及び各吸気ポート１７、１８に対して独立通路３９を介して接続されたサージタンク３８よりも気筒列方向の外側（左側）に位置している。
【００８５】
よって、エアクリーナ３１で浄化されて第１通路３３へ流入した新気は、スロットルバルブ３２を通過した後、合流部３３ｃから流入した外部ＥＧＲガスと合流する。そして、新気と外部ＥＧＲガスとが合流したガスは、自然吸気時には、分岐部３３ｄを介してバイパス通路４０へ流入する一方、過給時には、バイパス通路４０を逆流したガスと合流しつつ、第１通路本体３３ｂの下流端から過給機３４に吸い込まれるようになっている（図６の矢印Ａ１を参照）。
【００８６】
以下、過給機３４側の通路構造と、バイパス通路４０側の通路構造を順番に説明する。
【００８７】
−過給機側の通路構造−
まず、過給機３４に吸入される側の通路構造について詳細に説明する。
【００８８】
前述の如く、本実施形態に係る過給機３４は、ルーツ式のスーパーチャージャとして構成されている。詳しくは、過給機３４は、気筒列方向に沿って延びる回転軸が設けられた一対のロータ（不図示）と、ロータを収容しているケーシング３４ｂと、ロータを回転駆動する駆動プーリ３４ｄと、駆動プーリ３４ｄに巻き掛けられた駆動ベルト（不図示）を介してクランクシャフト１５に連結されている。駆動プーリ３４ｄと、ロータとの間には、前述の電磁クラッチ３４ａが介設されており、電磁クラッチ３４ａの遮断及び接続を切り替えることによって、クランクシャフト１５を介して過給機３４へ駆動力を伝達したり、駆動力の伝達を遮断したりする。
【００８９】
ケーシング３４ｂは、気筒列方向に延びる筒状に形成されており、ロータの収容空間と、過給機３４を通過するガスの流路とを区画している。詳しくは、ケーシング３４ｂは、気筒方向に左端と前面とが開口した円筒状に形成されており、図６等に示すように、取付面１０ａの気筒列方向略中央の部分に対して、所定の間隔を空けるように且つ、第１通路３３と同軸になるように配置されている。
【００９０】
ケーシング３４ｂの長手方向左端部には、ロータによって圧縮するガスを吸い込む吸入口が開口しており、第１通路３３の下流端（右端）が接続されている。その一方で、ケーシング３４ｂの前部（エンジン本体１０とは反対側の側部）には、図６〜図７に示すように、ロータによって圧縮されたガスを吐き出す吐出口３４ｃが開口しており、第２通路３５の上流端（上端）が接続されている。
【００９１】
駆動プーリ３４ｄは、ケーシング３４ｂに収容されたロータを回転駆動するように構成されている。詳しくは、駆動プーリ３４ｄは、ケーシング３４ｂの右端から突出し且つ、第１通路３３及びケーシング３４ｂの双方に対して略同軸に延びる軸状に形成されている。駆動プーリ３４ｄの先端には駆動ベルト（不図示）が巻き掛けられており、前述の如く、電磁クラッチ３４ａの切替状態に応じて、クランクシャフト１５を過給機３４に対して駆動連結するように構成されている。尚、駆動プーリ３４ｄは、過給機３４の「駆動源」の例示である。
【００９２】
第２通路３５は、図４、及び図６〜図７等に示すように、過給機３４をインタークーラ３６に接続するように構成されている。過給機３４とインタークーラ３６とを上下に隣接させるべく、本実施形態に係る第２通路３５は、エンジン１の上下方向に沿って延びるように形成されている。また、第２通路３５は、図７に示すように、上下の両端が、それぞれ後方（エンジン本体１０側）に向かって開口している。ここで、上側の開口部３５ａは、ケーシング３４ｂの前部（具体的には吐出口３４ｃ）に接続されており、下側の開口部３５ｂは、インタークーラ３６の前部（クーラハウジング３６ｃの前面）に接続されている。尚、第２通路３５は、「中間通路」の例示である。
【００９３】
また、第２通路３５における中途の部位には、過給圧に生じる脈動に起因した放射音を抑制するべく、第２通路３５を幅狭にする狭小部３５ｃが形成されている。第２通路３５の詳細については後述する。
【００９４】
前述の如く、本実施形態に係るインタークーラ３６は、水冷式に構成されており、図４〜図７に示すように、ガスの冷却機能を有するコア３６ａと、コア３６ａの側部に取り付けられるコア接続部３６ｂと、コア３６ａを収容するクーラハウジング３６ｃとを備えている。詳細は省略するが、コア接続部３６ｂには、コア３６ａへ冷却水を供給する給水管と、コア３６ａから冷却水を排出する排水管とが接続されている。
【００９５】
コア３６ａは、直方状に形成されており、その一側面（後面）と取付面１０ａとが向い合うような姿勢で支持されている。コア３６ａの前面がガスの流入面を構成している一方、コア３６ａの後面がガスの流出面を構成しており、それぞれ、コア３６ａにおいて最も広い面となっている。図示は省略するが、コア３６ａには、薄板材を扁平筒形にしたウォータチューブが複数配列されており、各ウォータチューブの外壁面には、波状のコルゲートフィンがロウ付け等により接続されている。このように構成することで、給水管から供給された冷却水は、各ウォータチューブに導入されて、高温のガスを冷却することになる。ガスを冷却したことで暖められた冷却水は、各ウォータチューブから排水管を介して排出される。また、コルゲートフィンを設けたことで、各ウォータチューブの表面積が増加して放熱効果が向上するようになっている。
【００９６】
コア接続部３６ｂは、図４に示すように、矩形薄板状の部材であって、コア３６ａの右側面に取り付けられている。コア接続部３６ｂを介して、給水管及び排水管と、ウォータチューブとが相互に接続されている。コア接続部３６ｂは、インタークーラ３６の右側壁部を構成しており、クーラハウジング３６ｃと共に、コア３６ａの収容空間を区画している。
【００９７】
クーラハウジング３６ｃは、ケーシング３４ｂの下方に配置されており、コア３６ａの収容空間を区画していると共に、吸気通路３０のうち第２通路３５と第３通路３７との間に介設された流路を構成している。
【００９８】
具体的に、クーラハウジング３６ｃは、前面と後面とが開口した矩形薄箱状に形成されており、ケーシング３４ｂの下方位置において、その後面と取付面１０ａとが向い合うような姿勢で支持されている。この後面は、ケーシング３４ｂと同様に、エンジン本体１０の取付面１０ａに対して所定の間隔（図７を参照）を空けて配置されている。
【００９９】
そして、クーラハウジング３６ｃにおける前面側の開口部３６ｄには、第２通路３５の下流端が接続されている一方、後面側の開口部３６ｅには、第３通路３７の上流端が接続されている。また、クーラハウジング３６ｃは、右側面も開口している。その開口部は、コア３６ａをクーラハウジング３６ｃの内部に収容するときの挿入口として構成されており、コア接続部３６ｂによって閉塞されるようになっている。尚、クーラハウジング３６ｃの前面側の開口部３６ｄは、インタークーラ３６における「ガスの導入口」を例示している。以下、この前面側の開口部３６ｄを、単に「導入口」という場合がある。
【０１００】
第３通路３７は、サージタンク３８及び独立通路３９と一体的に成形された部材であって、図７及び図８に示すように、インタークーラ３６をサージタンク３８に接続するように構成されている。詳しくは、第３通路３７は、上流側から順に、クーラハウジング３６ｃに締結され、インタークーラ３６を通過したガスが集合する集合部３７ａと、集合部３７ａに集合したガスをサージタンク３８へ導く導入部３７ｂとを有している。第３通路３７は、少なくとも車両搭載状態において、サージタンク３８に対して下方に配設されている。
【０１０１】
集合部３７ａは、前面側つまり、クーラハウジング３６ｃ側が開放された、前後の奥行の浅い箱状に形成されており、その開放部は、図７に示すように、クーラハウジング３６ｃ後面側の開口部３６ｅに接続されている。集合部３７ａは、クーラハウジング３６ｃの後面と、エンジン本体１０の取付面１０ａとの隙間に位置するようになっている。また、集合部３７ａの後面にはさらに、導入部３７ｂの上流端が接続されている。
【０１０２】
導入部３７ｂは、略上下方向に延びる曲管部として形成されており、その上流端は集合部３７ａの後面に接続されている一方、その下流端はサージタンク底面の中央部（図８〜図９を参照）に接続されている。この導入部３７ｂは、図７等に示すように、集合部３７ａの後面から過給機３４のケーシング３４ｂの後面にかけての領域と、エンジン本体１０の取付面１０ａとの間の隙間を縫うように延設されている。
【０１０３】
さらに詳しくは、図８に示すように、導入部３７ｂの上流側部分は、集合部３７ａとの接続部から右斜め上方へ向かって延びる一方、それよりも下流側部分は、サージタンク３８との接続部に向かって直上方へ延びるように形成されている。このように形成した結果、導入部３７ｂの下流端部は、気筒列方向の一側から見たときに、独立通路３９におけるガスの流れ方向に対して略直交する方向に延びるようになる（図７を参照）。
【０１０４】
サージタンク３８は、気筒列方向に延び且つ、同方向の両端が閉塞された略筒状に形成されている。このサージタンク３８は、前述のように、吸気ポート１７、１８の反気筒側端部に対し、複数の独立通路３９を挟んで反対側に対向して配置されている（図７を参照）。後述のように、複数の独立通路３９をそれぞれ短筒状に形成すると、このような配置と相俟って、サージタンク３８は、吸気ポート１７、１８の入口（上流端部）近傍に位置することになる。このことは、サージタンク３８から吸気ポート１７、１８にかけての流路長（ランナー長）を短くする上で有効である。
【０１０５】
また、図９に示すように、サージタンク３８の底部には、第３通路３７（導入部３７ｂ）の下流端が接続されている。サージタンク３８の内底面３８ａの中央部（具体的には、気筒列方向の中央部）には、略円形状の断面を有する導入口３８ｂが開口しており、導入部３７ｂの下流端部は、この導入口３８ｂを介してサージタンク３８に接続されている。
【０１０６】
なお、導入口３８ｂは、吸気ポート１７、１８よりも大径に形成されている。
【０１０７】
また、サージタンク３８において、導入口３８ｂから気筒列方向の一端（一番気筒１１Ａ側の端）までの寸法と、その他端（４番気筒１１Ｄ側の端）までの寸法とが実質的に等しくなっている。このような構成とすることで、吸気の分配性能を確保することが可能になり、ひいては充填効率の気筒間差を低減する上で有利になる。
【０１０８】
また、図９に示すように、サージタンク３８には、複数の独立通路３９それぞれの上流端部が、対応する吸気ポート１７、１８の並ぶ順に従って列状に並んで接続されている。
【０１０９】
具体的に、サージタンク３８におけるエンジン本体１０側の側面（後面）には、２本で１組を成す独立通路３９が気筒列方向に沿って並んだ状態で４組（つまり、計８本）形成されている。８本の独立通路３９は、それぞれ、車両搭載状態において、後方に向かって略ストレートに延びる短筒状の通路として形成されており、その一端側（上流側）はサージタンク３８内の空間に連通している一方、他端側（下流側）はエンジン本体１０側（後側）に開口している。
【０１１０】
４組の独立通路３９は、それぞれ、４組の吸気ポート１７、１８の各々に対応するように配設されており、一体的に形成された第３通路３７、サージタンク３８及び独立通路３９をエンジン本体１０に組み付けたときに、各独立通路３９と、それに対応する吸気ポート１７、１８とが、一本の通路を構成するようになっている。
【０１１１】
前述のように、独立通路３９は、１組につき、第１ポート１７に対応する独立通路３９１と、第２ポート１８に対応する独立通路３９２とから構成されている。第３通路３７、サージタンク３８、及び独立通路３９をシリンダブロック１２に組み付けたときに、第１ポート１７と、それに対応する独立通路３９１とが独立した１本の通路を構成する一方、第２ポート１８と、それに対応する独立通路３９２とが、独立した１本の通路を構成する。このようにして、８本の独立した通路が構成されるようになっている。
【０１１２】
そして、第２ポート１８に接続される独立通路３９２には、前述のＳＣＶ８０が配設されている（図７及び図１１等を参照）。ＳＣＶ８０の開度を絞ることで、この第２ポート１８を通過するガスの流量が低減するため、他方の第１ポート１７を通過する流量を相対的に増やすことができる。
【０１１３】
ところで、後述の如く、バイパス通路４０の下流側部分は２股に分岐しており、分岐した各通路（以下、「分岐通路」４４ｂ、４４ｃという」の下流端部は、両方とも、サージタンク３８の上面に接続されている。
【０１１４】
そのような構造を実現するべく、サージタンク３８の上面には、気筒列方向に間隔を空けて配置され且つ、サージタンク３８の内外を連通させるように構成された２つの第１及び第２導入部３８ｃ、３８ｄが設けられている。
【０１１５】
そして、２つの第１及び第２導入部３８ｃ、３８ｄのうち、気筒列方向の一側（右側）に位置する第１導入部３８ｃには、一方の分岐通路（以下、「第１分岐通路」ともいう）４４ｂの下流端部が接続されている一方、他側（左側）に位置する第２導入部３８ｄには、他方の分岐通路（以下、「第２分岐通路」ともいう）４４ｃの下流端部が接続されている（図１３も参照）。
【０１１６】
具体的に、第１及び第２導入部３８ｃ、３８ｄは、双方とも、短筒状に形成されており、図８に示すように、サージタンク３８の上面から気筒列方向に対して垂直に且つ、斜め上前方に向かって延びている。
【０１１７】
第１導入部３８ｃは、図８に示すように、２番気筒１１Ｂの第２ポート１８Ｂに対応する独立通路３９２付近の部位に対向するように配設されている。対して、第２導入部３８ｄは、４番気筒１１Ｄの第２ポート１８Ｄに対応する独立通路３９２付近の部位に対向するように配設されている。
【０１１８】
過給機３４に吸い込まれたガスは、このように構成された“過給通路”を介して各シリンダ１１へ至る。
【０１１９】
つまり、過給時においては、エンジン１が運転している最中、クランクシャフト１５からの出力が、駆動ベルト、及び駆動プーリ３４ｄを介して伝達されて、ロータを回転させる。ロータが回転することにより、過給機３４は、第１通路３３から吸い込んだガスを、圧縮した上で吐出口３４ｃから吐き出す。吐き出されたガスは、ケーシング３４ｂの前方に配置された第２通路３５に流入する。
【０１２０】
図７の矢印Ａ２に示すように、過給機３４から吐出されて第２通路３５に流入したガスは、過給機３４の吐出口３４ｃから前方に向かって流れた後、第２通路３５に沿って下方へと流れる。下方へと流れたガスは、第２通路３５の下部に至った後、インタークーラ３６に向かって後方へ流れる。
【０１２１】
続いて、図７の矢印Ａ３に示すように、第２通路３５を通過したガスは、前面側の開口部３６ｄからクーラハウジング３６ｃの内部に流入し、その前側から後方に向かって流れる。クーラハウジング３６ｃの内部に流入したガスは、コア３６ａを通過する際に、ウォータチューブに供給された冷却水によって冷却される。冷却されたガスは、クーラハウジング３６ｃにおける後面側の開口部３６ｅから流出し、第３通路３７に流入する。
【０１２２】
そして、図７の矢印Ａ４に示すように、インタークーラ３６から第３通路３７へ流入したガスは、集合部３７ａを通過した後、導入部３７ｂの上流側部分に沿って右斜め上方へ流れ（図８の区間Ｓ１も参照）、その後、導入部３７ｂの下流側部分に沿って直上方へ流れる（図８の区間Ｓ２も参照）。同図の矢印Ａ５に示すように、導入部３７ｂを通過したガスは、サージタンク３８における、気筒列方向の略中央の空間に流入し、サージタンク３８にて一時的に蓄えられた後、独立通路３９を介して各シリンダ１１へ供給される。
【０１２３】
−バイパス側の通路構造−
次に、バイパス通路４０側の構成について詳細に説明する。
【０１２４】
図１０は、バイパス通路４０に係る通路構造を前側から見て示す図であり、図１１は、それを後側から見て示す図であり、図１２は、それを上側から見て示す図である。また、
図１３は、サージタンク３８とバイパス通路４０との接続構造を示す縦断面図であり、図１４は、その横断面図である。
【０１２５】
バイパス通路４０は、第１通路３３の分岐部３３ｄから上方に向かって延びた後に、右方に向かって略ストレートに延びる。バイパス通路４０は、右方に向かって延びた部分がサージタンク３８の中央付近（具体的には、気筒列方向における中央）に至ると、斜め下後方に向かうように向きを変えた後に、２股に分岐する。分岐した各々が、サージタンク３８の上面に接続されるようになっている。
【０１２６】
具体的に、バイパス通路４０は、流れ方向に沿って上流側から順に、バイパスバルブ４１が内蔵されたバルブボディ４１ａと、バルブボディ４１ａを通過したガスの流れ方向を整える曲管部４２と、曲管部４２を通過したガスを右方に向かって導く直管部４３と、直管部４３を通過したガスを斜め下後方に向かって導いた後、２股に分岐してサージタンク３８に接続される分岐管部４４とから構成されている。
【０１２７】
バルブボディ４１ａは、短筒状に形成されており、図１０〜図１１に示すように、第１通路３３に対して上方且つ、過給機３４に対して左方の位置において、両端の開口を上下に向けた姿勢で配置されている。また、バルブボディ４１ａは、第１通路３３と同様に、取付面１０ａの左端付近の部分よりも前方に位置している。バルブボディ４１ａの上流端（下端）には、第１通路３３の分岐部３３ｄが接続されている一方、バルブボディ４１ａの下流端（上端）には、曲管部４２の上流端が接続されている。
【０１２８】
曲管部４２は、エルボ状の管継手として構成されており、第１通路３３、ひいてはバルブボディ４１ａの上方位置において、下方と右方とに開口を向けた姿勢で配置されている。よって、曲管部４２に流入したガスは、第１通路３３におけるガスの主流に対して垂直な方向（直上方）に向かって流れた後、曲管部４２の曲がり方向に従って流れの向きが変更される。その結果、曲管部４２を流れるガスは、気筒軸方向視したとき（図１２を参照）に、若干、後方へ流れつつ、気筒列方向の外側から内方（左側から右方）に向かって流れる。また、曲管部４２は、第１通路３３及びバルブボディ４１ａと同様に、取付面１０ａの左端付近の部分よりも前方に位置している。曲管部４２の上流端（下端）には、既に述べたようにバルブボディ４１ａの下流端（上端）が接続されている一方、曲管部４２の下流端（右端）には、直管部４３の上流端が接続されている。
【０１２９】
直管部４３は、長筒状（具体的には、気筒列方向の一側（左側）から他側（右側）へ向かう方向に延びる筒状）に形成されており、図４〜図５に戻ると見て取れるように、第１通路３３ないし過給機３４の上方位置において、両端の開口を左右に向けた姿勢で配置されている。直管部４３の上流端（左端）には、既に述べたように曲管部４２の下流端（右端）が接続されている一方、直管部４３の下流端（右端）には、分岐管部４４の上流端が接続されている。
【０１３０】
分岐管部４４は、エルボ状に曲折された曲折通路４４ａと、その曲折通路４４ａの下流端からトーナメント状に分岐した２本の分岐通路４４ｂ、４４ｃとから構成されており、過給機３４ないしサージタンク３８の上方位置において、曲折通路４４ａの上流端を左方に向けて且つ、分岐した２本の分岐通路４４ｂ、４４ｃを両方とも斜め下後方に向けた姿勢で配置されている。
【０１３１】
詳しくは、曲折通路４４ａは、左側から右方へ向かうにつれて、前方から斜め下後方へ向かうように、略直角に曲折されている。この曲折通路４４ａの後端部は、図１２に示すように、気筒軸方向視したときに、略Ｔ字状に２本の分岐通路４４ｂ、４４ｃに分岐している。
【０１３２】
２本の分岐通路４４ｂ、４４ｃの流路長は、実質的に同じであり、分岐した一方の分岐通路である第１分岐通路４４ｂは、分岐箇所から気筒列方向に沿って右方へ延びた後、斜め下後方に向かうように曲折されている。対して、分岐した他方の分岐通路である第２分岐通路４４ｃは、分岐箇所から気筒列方向に沿って左方へ延びた後、斜め下後方に向かうように曲折されている。２本の分岐通路４４ｂ、４４ｃの下流端部は、前述の如く、サージタンク３８の上面に形成された第１導入部３８ｃ及び第２導入部３８ｄに接続されている。
【０１３３】
自然吸気時において、バイパス通路４０に流入したガスは、該通路４０を成す各部４１〜４４を通過して各シリンダ１１へ至る。
【０１３４】
つまり、スロットルバルブ３２を通過したガスは、バイパスバルブ４１の開閉状況に応じて、第１通路３３の途中からバイパスバルブ４１のバルブボディ４１ａに流入する。
【０１３５】
図１２の矢印Ａ６に示すように、バルブボディ４１ａを通過して曲管部４２に流入したガスは、直上方に向かって流れた後、若干後方へ向かいつつも、右方へ向かって流れる。
【０１３６】
続いて、曲管部４２を通過したガスは、図１２の矢印Ａ７に示すように直管部４３に沿って右方へ流れた後、分岐管部４４に流入する。そして、同図の矢印Ａ８〜Ａ１０に示すように、分岐管部４４に流入したガスは、曲折通路４４ａを通過した後、第１分岐通路４４ｂと第２分岐通路４４ｃとに分配されて、分配された各々がサージタンク３８に流入する（図１３〜図１４の矢印Ａ９〜Ａ１０も参照）。サージタンク３８に流入したガスは、独立通路３９を介して各シリンダ１１に吸入される。
【０１３７】
対して、過給時においては、サージタンク３８からバイパス通路４０に逆流したガスは、バイパス通路４０の各部４１〜４４を前述とは逆向きに通過して、第１通路３３に流出する。
【０１３８】
（過給圧に生じる脈動に関する構成）
図１５は、第２通路３５を前方から正面視して示す図である。また、図１６は、第２通路３５を構成する管路を取り外して示す図１５対応図であり、図１７は、その管路を後方から正面視して示す図である。さらに、図１８は、第１の消音室Ｓ１の縦断面を拡大して示す斜視図である。
【０１３９】
エンジン１は、該エンジン１を運転するためのＥＣＵを備えている。ＥＣＵは、各種のセンサより出力された検知信号に基づいて、エンジン１の運転状態を判断すると共に、種々のアクチュエータの制御量を計算する。そして、ＥＣＵは、計算した制御量に対応する制御信号を、インジェクタ６、点火プラグ２５、吸気電動ＶＶＴ２３、排気電動ＶＶＴ２４、燃料供給システム６１、スロットルバルブ３２、ＥＧＲバルブ５４、過給機３４の電磁クラッチ３４ａ、及び、バイパスバルブ４１に出力し、エンジン１を運転する。
【０１４０】
エンジン１の運転領域は、例えばエンジン回転数と負荷とによって区分されるようになっており、ＥＣＵは、各領域に適した運転状態を実現するように、各アクチュエータを制御する。
【０１４１】
例えば、所定負荷よりも低負荷側の運転領域（以下、「燃費領域」という）では、自然吸気によってエンジン１を運転する（つまり、電磁クラッチ３４ａを遮断してバイパスバルブ４１を全開にする）一方、その所定負荷よりも高負荷側の運転領域（以下、「過給域」という）では、過給機３４を駆動することにより、各シリンダ１１に導入されるガスを過給する（つまり、電磁クラッチ３４ａを接続してバイパスバルブ４１の開度を調整する）ようになっている。
【０１４２】
ところで、過給域においては、過給機３４から吐出されるガスの圧力（以下、「吐出圧」という）に脈動が生じることが知られている。そのような脈動が吸気通路３０に作用すると、その吸気通路３０を振動させて、放射音を招く可能性がある。このような現象は、吸気通路３０を構成する各部のうち、特に、過給機３４の直下流に配置された第２通路３５において問題となり得る。
【０１４３】
放射音を低減するための方策としては、例えば、第２通路３５の途中にレゾナンスチャンバーを配設することが考えられるものの、そのレイアウト次第では、第２通路３５まわりをコンパクトに構成する上で障害となる可能性がある。
【０１４４】
そこで、本願発明者等は、第２通路３５の形状に工夫を凝らすことで、新たな部材を設けることなく、過給圧の脈動に起因した放射音を抑制することにした。
【０１４５】
以下、過給機３４やインタークーラ３６など、第２通路３５が接続される部材の構成も含め、第２通路３５に係る構成について詳細に説明する。
【０１４６】
図１５〜図１６に示すように、過給機３４及びインタークーラ３６は、エンジン本体１０の取付面１０ａに沿って配置されており、上下方向に隣接している（図７も参照）。
【０１４７】
また、過給機３４の吐出口３４ｃとインタークーラ３６の導入口３６ｄとは、双方とも取付面１０ａに対して反対側（この例では前側）に向かって開口しており、図７に示すように、それぞれ、略同一平面上に配置されている。
【０１４８】
また、図１６から見て取れるように、過給機３４の吐出口３４ｃは、略三角形状の開口部として形成されている一方、インタークーラ３６の導入口３６ｄは、略矩形状の開口部として形成されている。吐出口３４ｃは、取付面１０ａを前側から正面視したとき（つまり、図１５〜図１６の如く見たとき）、吐出口３４ｃから導入口３６ｄに向かう方向（つまり、下方向）の寸法と、同方向に直交する方向（つまり、左右方向）の寸法とが双方とも、導入口３６ｄの寸法よりも小さくなっている。つまり、吐出口３４ｃは、導入口３６ｄよりも狭くなっている。
【０１４９】
そのように構成された吐出口３４ｃと導入口３６ｄとは、第２通路３５を介して相互に接続されるようになっている。具体的に、第２通路３５は、図１５に示すように、上下方向に延びかつ、左右方向に扁平な角筒部として形成されており、上下の両端部がそれぞれ後方に向けて曲折されている（図７も参照）。
【０１５０】
詳しくは、第２通路３５は、左右方向の通路幅Ｗ１〜Ｗ３に対し、取付面１０ａに対して反対側に向かう方向（前方であり、図１５において紙面奥行側から手前側へ向かう方向）の奥行きが短い扁平状の通路として形成されている。
【０１５１】
また、第２通路３５は、吐出口３４ｃに接続された開口部３５ａから前側に向かって延びた後、導入口３６ｄ側（この例では下方）に向かって略直角に曲折される。その後、第２通路３５は、下方に向かって略ストレートに延びた後、再び導入口３６ｄ側（この例では後方）に向かって略直角に曲折されて、開口部３５ｂを介して導入口３６ｄに接続される。これにより、第２通路３５は、気筒列方向視したとき（特に、右方向から見たとき）に、略コの字状の流路を形成するようになっている。
【０１５２】
そして、第２通路３５における中途の部位には、該部位における流路断面積を、該部位から第２通路の下流端部（開口部３５ｂ）に至る部分における流路断面積よりも縮小させた狭小部３５ｃが設けられている。
【０１５３】
具体的に、第２通路３５は、上流端部としての開口部３５ａを介して過給機３４に接続される過給機側通路部３５１と、下流端部としての開口部３５ｂを介してインタークーラ３６に接続されるクーラ側通路部３５３と、過給機側通路部３５１の下流端部をクーラ側通路部３５３の上流端部に接続するように構成され且つ、前述の狭小部３５ｃが設けられた接続通路部３５２とを有する。
【０１５４】
詳しくは、過給機側通路部３５１は、吐出口３４ｃから前側に向かって延びた後、導入口３６ｄ側に向かって下方に曲折された通路を構成している。過給機側通路部３５１は、取付面１０ａを前側から正面視したときに、左右方向の通路幅Ｗ１が、同方向におけるクーラ側通路部３５３の通路幅Ｗ３と同じになるように形成されている（つまりＷ１＝Ｗ３）。よって、過給機側通路部３５１における流路断面積と、クーラ側通路部３５３における流路断面積とは実質的に一致する。
【０１５５】
また、図７、及び図１７〜図１８に示すように、過給機側通路部３５１において、下方に曲折された角部には、第１のパンチングプレート７１によって第１の消音室Ｓ１が区画されている。
【０１５６】
第１のパンチングプレート７１は、多数の貫通孔が設けられた略矩形状の板部である。第１のパンチングプレート７１は、気筒列方向の一側から見たとき、図７及び図１８に示すように、第２通路３５を通過するガスの流れ方向Ａ２に沿って略円弧状のカーブを描くように曲げられた状態で、第２通路３５の内壁に取り付けられている。
【０１５７】
また、第１のパンチングプレート７１は、全周溶接ではなく、不溶着部分を残した状態で溶接されている。具体的に、第１のパンチングプレート７１における短手方向の縁部（この例では、左右方向に延びる上縁部、及び、同方向に延びる下縁部）は、図１８に示すように、第２通路３５の内壁に対して隙間を空けている。
【０１５８】
対して、クーラ側通路部３５３は、導入口３６ｄから前側に向かって延びた後、吐出口側３４ｃ側に向かって上方に曲折された通路を構成している。クーラ側通路部３５３は、取付面１０ａを前側から正面視したときに、左右方向の通路幅Ｗ３が、同方向における導入口３６ｄの寸法以上（この構成例では、実質的に同じ寸法）に形成されている。これにより、クーラ側通路部３５３を通過したガスは、少なくとも左右方向に関しては、導入口３６ｄの開口全体を通過するようになる。このような構成は、コア３６ａの全面にガスを当てる上で有効である。
【０１５９】
また、図７及び図１７等に示すように、クーラ側通路部３５３において、後方に曲折された角部には、第２のパンチングプレート７２によって第２の消音室Ｓ２が区画されている。第２のパンチングプレート７２の構成は、第１のパンチングプレート７１と実質的に同じであり、気筒列方向の一側から視たときに、第２通路３５を通過するガスの流れ方向Ａ２に沿って略円弧状のカーブを描くように曲げられた状態で、第２通路３５の内壁に取り付けられている。この第２のパンチングプレート７２もまた、全周溶接ではなく、不溶着部分を残して溶接されている。
【０１６０】
そして、接続通路部３５２は、過給機側通路部３５１の下流端部（下方に曲折された部位）と、クーラ側通路部３５３の上流端部（上方に曲折された部位）とを接続するように、上下方向に略ストレートに延びる通路を構成している。そして、接続通路部３５２における中途の部位、具体的に接続通路部３５２における上下方向中央の部位には、該接続通路部３５２を、過給機側通路部３５１及びクーラ側通路部３５３の双方に対して幅狭にするように形成された狭小部３５ｃが設けられている。つまり、狭小部３５ｃにおける通路幅Ｗ２は、過給機側通路部３５１における通路幅Ｗ１、及び、クーラ側通路部３５３における通路幅Ｗ３の双方よりも小さい（Ｗ２＜Ｗ１＝Ｗ３）。
【０１６１】
具体的に、狭小部３５ｃは、接続通路部３５２における流路断面積が、過給機側通路部３５１及びクーラ側通路部３５３の流路断面積の双方に対して縮小した括れ状に形成されている。
【０１６２】
図１９は、第２通路３５を従来構成１０３５と比較して示す図である。
【０１６３】
前述のように、吐出口３４ｃは導入口３６ｄよりも狭い。よって、過給機側通路部３５１からクーラ側通路部３５３にかけて、通路幅を広げる必要が生じるところ、過給機側通路部３５１の通路幅をクーラ側通路部３５３と同じとした。よって、仮に、接続通路部３５２を介することなく、過給機側通路部３５１とクーラ側通路部３５３とを直に接続した場合、第２通路３５の左右方向における通路幅は、実質的に一定となる。この場合、図１９の（Ａ）に示すような通路が区画されることになる。
【０１６４】
対して、本実施形態では、括れ状に形成された狭小部３５ｃが設けられているため、図１９の（Ｂ）に示すような通路が区画されることになる。
【０１６５】
第２通路３５のうち、狭小部３５ｃよりも下流側部分（つまり、クーラ側通路部３５３）における流路断面積は、少なくとも、狭小部３５ｃが設けられた部位における流路断面積よりも拡大することになる。そうすると、そのクーラ側通路部３５３全体が、いわゆる拡張室型の消音器として機能することとなり、ひいては、過給機３４の吐出圧に係る脈動に起因した放射音を低減することができる。
【０１６６】
また、このような構成は、例えばレゾナンスチャンバーのような部材を新設するのに比べて、第２通路３５をコンパクトに構成することができる。
【０１６７】
かくして、過給機３４とインタークーラ３６を繋ぐ第２通路３５をコンパクトに構成しながらも、放射音を低減することができる。
【０１６８】
狭小部３５ｃによる消音効果を図２０に示す。図２０の横軸は、脈動に放射音の周波数［Ｈｚ］を示し、図２０の縦軸は、放射音の評価特性（Transmission Loss：ＴＬ）［ｄＢ］を示す。
【０１６９】
具体的に、入射波（吐出口３４ｃを介して第２通路３５に入射する圧力波）の音圧レベルをＬｉ［ｄＢ］とし、透過波（導入口３６ｄを介して第２通路３５を透過する圧力波）の音圧レベルをＬｔ［ｄＢ］とすると、評価特性ＴＬは、ＴＬ＝Ｌｉ−Ｌｔによって定義される。この定義から明らかなように、評価特性ＴＬが大きいということは、入射波と比較して、透過波の音圧レベルが十分に低減されていることに対応する。このことは、消音効果が相対的に大きいことを示す。対して、評価特性ＴＬが小さいということは、入射波と比較して、透過波の音圧レベルがそれほど低減されていないことに対応する。このことは、消音効果が相対的に小さいことを示す。
【０１７０】
図２０より、本実施形態に係る第２通路３５（括れ有）は、従来構成１０３５（括れ無）と比較して、特に低周波数域と高周波数域において十分な消音効果が発揮されていることが見て取れよう。ここで、低周波数域は、エンジン回転数が比較的低い状態に対応する。エンジン回転数が低いときには、エンジン１自体が発する騒音（脈動に起因した放射音ではなく、エンジン１自体の作動に起因した騒音）は小さくなる。そうすると、脈動に起因した放射音が相対的に目立つことになる。よって、そのような低周波数域において消音効果を発揮することは、エンジン１自体が発する騒音との相対的な大小関係という点で有効である。また、エンジン回転数の低い領域は、車両が停車した状態からアクセルペダルを踏み込んだときに通過する領域でもある。よって、このような構成は、例えば加速初期の過渡時において、取り分け有効となる。
【０１７１】
また、既に説明したように、過給機３４の吐出口３４ｃは、インタークーラの導入口３６ｄよりも狭い（図１６を参照）。この場合、例えば、過給機側通路部３５１からクーラ側通路部３５３にかけて、通路幅を徐々に広げていくことが考えられるが、そのように構成した場合、狭小部３５ｃは、通路幅が広がっていく途中に形成されることになる。
【０１７２】
対して、この第２通路３５では、図１５に示すように、過給機側通路部３５１の通路幅Ｗ１は、クーラ側通路部３５３の通路幅Ｗ３と同じになるように形成されている。そして、過給機側通路部３５１とクーラ側通路部３５３とを接続する接続通路部３５２において、前述の狭小部３５ｃを形成するようになっている。そうすると、狭小部３５ｃは、通路幅が十分に広がった後に形成されるようになるから、前述の如く、通路幅を徐々に広げていくような構成と比較して、狭小部３５ｃにおける通路幅Ｗ２を長くすることが可能になる。このことは、第２通路３５、特に狭小部３５ｃにおいて、吸気抵抗の悪化を抑制する上で有効である。
【０１７３】
よって、吸気抵抗の悪化を抑制しつつ、狭小部３５ｃによって放射音を低減することができる。
【０１７４】
また、図７等に示すように、第２通路３５は奥行きが短い扁平状の通路として形成されている。これによれば、第２通路３５を奥行き方向にコンパクトに構成することが可能になる。
【０１７５】
そして、狭小部３５ｃは、第２通路３５を幅方向に狭めるように形成されているから、奥行き方向に狭めた構成と比較して、吸気抵抗の悪化を抑制することが可能になる。
【０１７６】
よって、第２通路３５のコンパクト化を図る一方で、吸気抵抗の悪化を抑制しつつ、狭小部３５ｃによって放射音を低減することができる。
【０１７７】
もっとも、第２通路３５を幅方向に狭めた場合であっても、過度に狭めてしまっては、吸気抵抗の悪化は避けられない。
【０１７８】
本願発明者等は、鋭意検討を重ねた結果、狭小部３５ｃにおける流路断面積をＣ１とする（図１９のＡ‐Ａ断面を参照）一方、狭小部３５ｃから第２通路３５の下流端部に至る部分（特に、クーラ側通路部３５３）における流路断面積をＣ２とする（図１９のＢ‐Ｂ断面を参照）と、Ｃ２／Ｃ１が１．５以上２．５以下に設定されていれば、吸気抵抗の悪化を抑制しつつ、十分な消音効果を発揮することができる、ということを見出した。
【０１７９】
また、図２等に示すように、第２通路３５は、車両前側に配置されるようになっており、また、前側に向かう方向の奥行きが短い通路として形成されている。これにより、吸気通路３０全体を車両前後方向においてコンパクトに構成することができる。それと同時に、第２通路３５を車両が前突したときのクッションとして利用することも可能になる。
【０１８０】
また、図２等に示すように、過給機３４とインタークーラ３６が上下に隣接する一方で、過給機３４の側方（右方）に駆動プーリ３４ｄを配設したから、過給機３４、インタークーラ３６、及び駆動プーリ３４ｄを同一平面上に並べて配置することが可能になる。このことは、吸気通路３０全体をコンパクトにレイアウトする上で有効である。
もよい。
【０１８１】
また、図１８等に示すように、第２通路３５内に区画した第１の消音室Ｓ１によって、過給機３４の吐出圧に生じる脈動を減衰することができる。このことは、放射音を低減する上で有効である。
【０１８２】
加えて、第１の消音室Ｓ１は、第２通路３５内の角部に区画されているから、吸気抵抗の悪化を抑制することができる。
【０１８３】
さらに、図７に示すように、第１の消音室Ｓ１を区画している第１のパンチングプレート７１は、第２通路３５を通過するガスの流れ方向Ａ２に沿って略円弧状のカーブを描くように曲げられている。このこともまた、吸気抵抗の悪化を抑制する上で有効である。
【０１８４】
また、第１のパンチングプレート７１は、全周溶接ではなく、不溶着部分を残した状態で溶接されている。そうすると、第２通路３５と第１のパンチングプレート７１との間で相対的な変位が許容されるようになるから、第１のパンチングプレート７１の振動に起因した放射音の発生を抑制することもできる。
【０１８５】
また、図１等に示すように、吸気通路３０にはバイパス通路４０が設けられている。過給域において、過給機３４によってガスに付与された過給圧のうちの一部は、そのバイパス通路４０を介して過給機３４上流側に戻ることになる。この場合、上流側に至った過給圧が、インタークーラ３６や第２通路３５を逆流するように伝搬し、その結果、過給圧に係る脈動が、フレッシュエアダクトやエアクリーナ３１等に作用して放射音を招いたり、フレッシュエアダクト開口部からの吸気源音を招いたりする可能性がある。
【０１８６】
対して、図７等に示すように、インタークーラ３６の導入口３６ｄ付近の角部には、第２の消音室Ｓ２が区画されている。これにより、第２通路３５の逆流に起因した放射音や吸気源音を低減することができる。
【０１８７】
《他の実施形態》
図２１は、第２通路にヘルムホルツ式レゾネータ８１、８２を取り付けた変形例３５’と、サイレンサー９１を取り付けた変形例３５’’を並べて示す図である。図２１に示すように、狭小部３５ｃを設けるばかりでなく、他の消音器を併用してもよい。この場合、接続通路部３５２の後側のスペースを活用することで、第２通路３５をコンパクトに保つことができる。
【符号の説明】
【０１８８】
１      エンジン（過給機付きエンジン）
１０    エンジン本体
１０ａ  取付面（エンジン本体一方側の外面）
１１    シリンダ（気筒）
３０    吸気通路
３４    過給機
３４ｃ  吐出口
３４ｄ  駆動プーリ（過給機の駆動源）
３５    第２通路（中間通路）
３５ｃ  狭小部
３５１  過給機側通路部
３５２  接続通路部
３５３  クーラ側通路部
３６    インタークーラ
３６ｄ  導入口
４０    バイパス通路
７１    第１のパンチングプレート
７２    第２のパンチングプレート
Ｓ１    第１の消音室
Ｓ２    第２の消音室
Ｗ１    通路幅（過給機側通路部の通路幅）
Ｗ３    通路幅（クーラ側通路部の通路幅）
【図１】
2018168784.tif 000003
【図２】
2018168784.tif 000004
【図３】
2018168784.tif 000005
【図４】
2018168784.tif 000006
【図５】
2018168784.tif 000007
【図６】
2018168784.tif 000008
【図７】
2018168784.tif 000009
【図８】
2018168784.tif 000010
【図９】
2018168784.tif 000011
【図１０】
2018168784.tif 000012
【図１１】
2018168784.tif 000013
【図１２】
2018168784.tif 000014
【図１３】
2018168784.tif 000015
【図１４】
2018168784.tif 000016
【図１５】
2018168784.tif 000017
【図１６】
2018168784.tif 000018
【図１７】
2018168784.tif 000019
【図１８】
2018168784.tif 000020
【図１９】
2018168784.tif 000021
【図２０】
2018168784.tif 000022
【図２１】
2018168784.tif 000023